(57)【要約】【課題】パネルから簡単に取り外すことができ、パネルとワイヤハーネスとを簡単に分離（分別）することができるグロメットを提供する。【解決手段】グロメット１は、外筒部材１０と内筒部材２０と移動規制部３０とを備えている。移動規制部３０は、外筒部材１０から内筒部材２０に向かって突出した突部２２と、内筒部材２０に設けられ突部２２と係合する係合受け部３１とを備えている。係合受け部３１は、拡径筒部１１の一端部１１ａ側の端部と、底板部１２の内縁部１６とから構成されている。移動規制部３０は、中立状態において外筒部材１０とこの外筒部材１０の内側に配された内筒部材２０とがワイヤハーネス４の長手方向に沿って相対的に移動するのを規制する。突部２２の内筒部材２０を引っ張る方向Ｃ側の端部には、前記引っ張る方向Ｃにいくにしたがって内筒部材２０の外面に近づくように傾斜したテーパ面２３が設けられている。【選択図】図３
2009201178.tif 000002
【特許請求の範囲】
【請求項１】
弾性材料から構成され、かつ、パネルの孔内に通されて該孔内に取り付けられる外筒部材と、
前記外筒部材と別体で設けられ、かつ、内側にワイヤハーネスを通してこのワイヤハーネスと密着するとともに、少なくともその一部が前記外筒部材内に配される内筒部材と、を備えたグロメットにおいて、
中立状態において前記外筒部材とこの外筒部材の内側に配された前記内筒部材とが前記ワイヤハーネスの長手方向に沿って相対的に移動するのを規制する移動規制手段と、
前記内筒部材を前記ワイヤハーネスの長手方向に沿って引っ張ると、前記外筒部材を弾性変形させて前記内筒部材が前記外筒部材内から抜け出るのを許容する移動許容手段と、を備えたことを特徴とするグロメット。
【請求項２】
前記移動規制手段が、前記外筒部材と前記内筒部材とのうち一方から他方に向かって突出した突部と、他方に設けられ前記突部と係合する係合受け部と、を備えたことを特徴とする請求項１に記載のグロメット。
【請求項３】
前記突部が前記内筒部材の外面から突出して設けられ、
前記移動許容手段が、前記突部の前記内筒部材を引っ張る方向側の端部に設けられ、前記引っ張る方向にいくにしたがって前記内筒部材の外面に近づくように傾斜したテーパ面とされていることを特徴とする請求項２に記載のグロメット。
【請求項４】
前記係合受け部が前記内筒部材の外面から凹に設けられ、
前記移動許容手段が、前記係合受け部の前記内筒部材を引っ張る方向と反対側の内面に設けられ、前記引っ張る方向と反対方向にいくにしたがって前記内筒部材の外面に近づくように傾斜したテーパ面とされていることを特徴とする請求項２に記載のグロメット。
【請求項５】
前記内筒部材を引っ張る方向が、前記外筒部材を前記パネルの孔内に通す方向と反対方向とされていることを特徴とする請求項１ないし請求項４のうちいずれか一項に記載のグロメット。
【発明の詳細な説明】
【技術分野】
【０００１】
本発明は、車両としての自動車等の車体を構成するパネルに取り付けられかつ内側にワイヤハーネスを通すグロメットに関する。
【背景技術】
【０００２】
車両としての自動車等の車体を構成するパネルに設けられた孔内にワイヤハーネスを通し、該ワイヤハーネスに水等の水分（液体）が付着することを防止するために、従来から種々のグロメットが用いられてきた。
【０００３】
このようなグロメットは、例えば、ゴム等の弾性材料から構成されている。グロメットは、例えば、その一端部側にパネルの孔内に係止される係止凹部を備えた外筒部材と、内側にワイヤハーネスを通してこのワイヤハーネスと密着するとともに外筒部材内に配される内筒部材とを備えている（例えば、特許文献１ないし３参照）。
【０００４】
特許文献１に記載されたグロメットは、外筒部材と内筒部材とが一体成形されて、内筒部材の端部が外筒部材の他端部に連なっている。外筒部材の一端部側の内面には係止突部が設けられ、内筒部材の外面にはこの係止突部と係合する押圧部が突出している。内筒部材を外筒部材の一端部側から外筒部材内に挿入していくと、押圧部が係止突部を乗り越えて、内筒部材は外筒部材内に係止される。
【０００５】
特許文献２に記載されたグロメットは、外筒部材と、この外筒部材と別体で設けられた内筒部材としての一対のパッキンとを備えている。外筒部材の内面には係止突部が設けられ、パッキンの外周面にはこの係止突部と係合する凹部が設けられている。一対のパッキンをそれぞれ外筒部材の一端部側の開口と他端部側の開口から外筒部材内に挿入していくと、凹部内に係止突部が収容されて、パッキンは外筒部材内に係止される。
【０００６】
特許文献３に記載されたグロメットは、外筒部材と、この外筒部材と別体で設けられた内筒部材とを備えている。外筒部材の他端部側は、環状溝によって、パネルの孔内に取り付けられる外周部と、内筒部材を収容する中心部とに分割されている。前記中心部の内面には、内筒部材の一端部側を係止する段部と、他端部側を係止する係止爪が設けられている。内筒部材を外筒部材の他端部側から外筒部材の中心部内に挿入していくと、内筒部材は段部と係止爪との間に係止される。
【特許文献１】特開２００５−３３８８４号公報
【特許文献２】実公昭５８−１０２６１号公報
【特許文献３】特開平６−３８３３９号公報
【発明の開示】
【発明が解決しようとする課題】
【０００７】
近年、環境問題を考慮して、廃車等の自動車解体時における部品材料毎の分別回収、及びその後の廃棄やリサイクルが要求されている。例えば、車体のパネルを構成する鉄成分と、車体内に配索されるワイヤハーネスの電線を構成する銅成分とを分別する必要がある。このような分別作業を軽減させるために、パネルから取り外しやすいグロメットが要求されている。
【０００８】
しかしながら、特許文献１ないし３に記載されたグロメットにおいては、内筒部材を外筒部材内に取り付けるのは簡単であるが、外筒部材内に取り付けられた内筒部材を外筒部材から取り外すのには手間がかかっていた。そして、パネルの孔内に取り付けられた外筒部材をパネルから取り外すのにも同様に手間がかかっていた。このため、パネルからグロメットを取り外して車体とワイヤハーネスとを分離（分別）するのに手間がかかるといった問題があった。
【０００９】
本発明は、このような問題を解決することを目的としている。即ち、本発明は、パネルから簡単に取り外すことができ、パネルとワイヤハーネスとを簡単に分離（分別）することができるグロメットを提供することを目的としている。
【課題を解決するための手段】
【００１０】
前記課題を解決し目的を達成するために、請求項１に記載された発明は、弾性材料から構成され、かつ、パネルの孔内に通されて該孔内に取り付けられる外筒部材と、前記外筒部材と別体で設けられ、かつ、内側にワイヤハーネスを通してこのワイヤハーネスと密着するとともに、少なくともその一部が前記外筒部材内に配される内筒部材と、を備えたグロメットにおいて、中立状態において前記外筒部材とこの外筒部材の内側に配された前記内筒部材とが前記ワイヤハーネスの長手方向に沿って相対的に移動するのを規制する移動規制手段と、前記内筒部材を前記ワイヤハーネスの長手方向に沿って引っ張ると、前記外筒部材を弾性変形させて前記内筒部材が前記外筒部材内から抜け出るのを許容する移動許容手段と、を備えたことを特徴としたグロメットである。
【００１１】
請求項２に記載された発明は、請求項１に記載されたグロメットにおいて、前記移動規制手段が、前記外筒部材と前記内筒部材とのうち一方から他方に向かって突出した突部と、他方に設けられ前記突部と係合する係合受け部と、を備えたことを特徴としたグロメットである。
【００１２】
請求項３に記載された発明は、請求項２に記載されたグロメットにおいて、前記突部が前記内筒部材の外面から突出して設けられ、前記移動許容手段が、前記突部の前記内筒部材を引っ張る方向側の端部に設けられ、前記引っ張る方向にいくにしたがって前記内筒部材の外面に近づくように傾斜したテーパ面とされていることを特徴としたグロメットである。
【００１３】
請求項４に記載された発明は、請求項２に記載されたグロメットにおいて、前記係合受け部が前記内筒部材の外面から凹に設けられ、前記移動許容手段が、前記係合受け部の前記内筒部材を引っ張る方向と反対側の内面に設けられ、前記引っ張る方向と反対方向にいくにしたがって前記内筒部材の外面に近づくように傾斜したテーパ面とされていることを特徴としたグロメットである。
【００１４】
請求項５に記載された発明は、請求項１ないし請求項４のうちいずれか一項に記載されたグロメットにおいて、前記内筒部材を引っ張る方向が、前記外筒部材を前記パネルの孔内に通す方向と反対方向とされていることを特徴としたグロメットである。
【発明の効果】
【００１５】
請求項１に記載された発明によれば、外筒部材とこの外筒部材内に取り付けられた内筒部材とが相対的に移動するのを規制する移動規制手段と、内筒部材を引っ張ると外筒部材を弾性変形させて内筒部材が外筒部材内から抜け出るのを許容する移動規制手段とを備えているので、内筒部材を引っ張ることで内筒部材が簡単に外筒部材内から抜け出る。したがって、内筒部材を外筒部材内から簡単に取り外すことができ、パネルとワイヤハーネスとを簡単に分離（分別）することができる。
【００１６】
請求項２に記載された発明によれば、移動規制手段が、外筒部材と内筒部材とのうち一方から他方に向かって突出した突部と、他方に設けられ前記突部と係合する係合受け部とを備えているので、通常時には、突部と係合受け部とが係合して内筒部材を確実に外筒部材内に保持することができる。
【００１７】
請求項３に記載された発明によれば、突部が内筒部材の外面から突出して設けられ、移動許容手段が、突部の内筒部材を引っ張る方向側の端部に設けられ、引っ張る方向にいくにしたがって内筒部材の外面に近づくように傾斜したテーパ面とされているので、内筒部材を引っ張ることでテーパ面が外筒部材を弾性変形させて、内筒部材を外筒部材から簡単に（小さな力で）取り外すことができる。
【００１８】
請求項４に記載された発明によれば、係合受け部が内筒部材の外面から凹に設けられ、移動許容手段が、係合受け部の内筒部材を引っ張る方向と反対側の内面に設けられ、引っ張る方向と反対方向にいくにしたがって内筒部材の外面に近づくように傾斜したテーパ面とされているので、内筒部材を引っ張ることでテーパ面が外筒部材を弾性変形させて、内筒部材を外筒部材内から簡単に（小さな力で）取り外すことができる。
【００１９】
請求項５に記載された発明によれば、内筒部材を引っ張る方向が外筒部材をパネルの孔内に通す方向と反対方向とされているので、外筒部材即ちグロメットをパネルに取り付けるときに内筒部材が外筒部材内から抜け出るのを確実に防止することができる。
【発明を実施するための最良の形態】
【００２０】
以下、本発明の第１の実施形態にかかるグロメット１を図１ないし図５を参照して説明する。本発明の第１の実施形態にかかるグロメット１は、図２に示すように、車両としての自動車等の車体を構成するパネル２を貫通した孔３に取り付けられる。このパネル２は、例えば、エンジンルームと車室とを隔てている。
【００２１】
グロメット１は、筒状に形成されているとともに、内側に前記自動車に配索されるワイヤハーネス４（図２等に示す）を通す。グロメット１は、パネル２との間を水密に保ち、該パネル２との間から内側に水等の水分（液体）が侵入することを防止して、前記ワイヤハーネス４に水等の水分（液体）が付着することを防止する。グロメット１は、図１に示すように、外筒部材１０と、内筒部材２０とを別体で備えている。
【００２２】
外筒部材１０は、弾性変形自在な弾性材料としてのゴム等から構成されている。外筒部材１０は、図３に示すように、筒状に形成され、内側にワイヤハーネス４を通す。外筒部材１０は、パネル２の孔３に通されてパネル２の孔３内に取り付けられる。外筒部材１０は、拡径筒部１１と、底板部１２と、係止凹部１３とを備えている。
【００２３】
拡径筒部１１は、一端部１１ａから他端部１１ｂに向かうにしたがって内外径が徐々に拡大する円筒状に形成されている。拡径筒部１１の一端部１１ａの外径は、パネル２の孔３の内径より小さい。拡径筒部１１の他端部１１ｂの外径は、パネル２の孔３の内径より大きい。拡径筒部１１は、内側にワイヤハーネス４と内筒部材２０とを通す。
【００２４】
底板部１２は、円形状に形成され、外筒部材１０即ちグロメット１の軸心Ｐ方向に直交する方向に配されている。底板部１２の外縁部は、拡径筒部１１の他端部１１ｂ側の端部に連なっている。底板部１２の中央には、貫通孔１５が設けられている。貫通孔１５は、内側にワイヤハーネス４と内筒部材２０とを通す。
【００２５】
係止凹部１３は、拡径筒部１１の他端部１１ｂに設けられ、拡径筒部１１の全周に亘って設けられている。係止凹部１３は、拡径筒部１１の一端部１１ａ寄りの第１の壁１７と、軸心Ｐ方向に沿って第１の壁１７と相対する第２の壁１８と、第１の壁１７と第２の壁１８との間に設けられた凹溝１９とを備えている。
【００２６】
前述した構成の係止凹部１３は、外筒部材１０を拡径筒部１１の一端部１１ａ側から図２中の矢印Ｂに示す方向に沿ってパネル２の孔３内に挿入していくと、第１の壁１７を一旦拡径筒部１１の内側に撓ませる。そして、凹溝１９内にパネル２の孔３の縁部を位置付けた後、図３に示すように第１の壁１７を弾性復元力により初期状態（外筒部材１０が弾性変形していない状態）に復帰させて、パネル２の孔３内に係止する。係止凹部１３がパネル２の孔３内に係止すると、凹溝１９の底面は、パネル２の孔３の内面に接触してパネル２の孔３の内面との間を水密に保つ。
【００２７】
なお、第２の壁１８の第１の壁１７と相対する外面には、リップが設けられていてもよい。リップは、前述した第２の壁１８の外面から第１の壁１７に向かって突出し、拡径筒部１１の全周に亘って設けられる。リップは、係止凹部１３がパネル２の孔３内に係止するとパネル２の表面に押し付けられて、パネル２の表面との間を水密に保つ。
【００２８】
内筒部材２０は、外筒部材１０よりも硬い材料から構成され、例えば、弾性変形をほとんどしない硬質の樹脂材料や、弾性材料としてのゴム等から構成されている。内筒部材２０は、図２等に示すように、小径筒部２１と、後述する突部２２とを備えている。
【００２９】
小径筒部２１は、円筒状に形成され、内側にワイヤハーネス４を通す。小径筒部２１の内径はワイヤハーネス４の外径より僅かに小さく、小径筒部２１の内面は内側に通されたワイヤハーネス４と密着する。小径筒部２１の外径は、パネル２の孔３の内径より小さく、拡径筒部１１の一端部１１ａ側の端部１４の内径及び底板部１２の貫通孔１５の内径よりも僅かに大きい。
【００３０】
このような内筒部材２０は、外筒部材１０と別体で設けられている。内筒部材２０と外筒部材１０とは、互いに別部品で成形された後に組み付けられる。内筒部材２０は、外筒部材１０と同軸に配され、外筒部材１０の内側に配される。内筒部材２０が外筒部材１０の内側に配されると、小径筒部２１の中央部（少なくとも一部）は外筒部材１０内に配され、小径筒部２１の両端部は外筒部材１０外に配される。そして、小径筒部２１の外面と、拡径筒部１１の一端部１１ａ側の端部１４及び底板部１２の内縁部１６が密着して、内筒部材２０と外筒部材１０との間を水密に保つ。なお、内筒部材２０と外筒部材１０とを二段階成形等によって成形してもよい。
【００３１】
また、グロメット１は、図２等に示すように、移動規制手段としての移動規制部３０を備えている。移動規制部３０は、内筒部材２０に設けられた突部２２と、外筒部材１０に設けられた係合受け部３１とを備えている。
【００３２】
突部２２は、小径筒部２１の長手方向中央に設けられ、小径筒部２１即ち内筒部材２０の外面から突出して設けられている。突部２２は、小径筒部２１の全周に亘って設けられている。内筒部材２０が外筒部材１０内に配されると、突部２２は外筒部材１０の内面に向かって突出する。突部２２の内筒部材２０即ちグロメット１の軸心Ｐに沿った断面形状は、略三角形状に形成されている。突部２２の軸心Ｐ方向に沿った長さは、拡径筒部１１の一端部１１ａ側の端部１４と、底板部１２の内縁部１６との間隔と略等しい。突部２２の軸心Ｐ方向の一端部側には、テーパ面２３が設けられている。テーパ面２３は、突部２２の一端部側の端部に向かうにしたがって内筒部材２０の外面に近づくように傾斜している。
【００３３】
係合受け部３１は、拡径筒部１１の一端部１１ａ側の端部１４と、底板部１２の内縁部１６とから構成されている。拡径筒部１１の端部１４と底板部１２の内縁部１６との間には、突部２２が位置付けられる。こうして、係合受け部３１は、拡径筒部１１の端部１４と底板部１２の内縁部１６との間に突部２２を位置付けることで、突部２２と係合する。
【００３４】
前述した構成の移動規制部３０は、内筒部材２０の小径筒部２１のテーパ面２３寄りの端部を図１中の矢印Ａに沿って外筒部材１０の拡径筒部１１の一端部１１ａ内に挿入していくと、拡径筒部１１の端部１４がテーパ面２３に乗り上げて弾性変形した後、突部２２を乗り越えて拡径筒部１１の端部１４は弾性復元して中立状態（図２に示す、端部１４即ち外筒部材１０が弾性変形していない状態）となる。このように、外筒部材１０内に内筒部材２０が配されると、移動規制部３０は、拡径筒部１１の端部１４と底板部１２の内縁部１６との間に突部２２を位置付けて、係合受け部３１と突部２２とを係合させる。そして、中立状態において、移動規制部３０は、外筒部材１０とこの外筒部材１０内に配された内筒部材２０とが軸心Ｐ方向に沿って相対的に移動するのを規制する。内筒部材２０の内側には軸心Ｐ方向に沿ってワイヤハーネス４が通されるので、移動規制部３０は、外筒部材１０とこの外筒部材１０内に配された内筒部材２０とがワイヤハーネス４の長手方向に沿って相対的に移動するのを規制する。
【００３５】
また、内筒部材２０（または、この内筒部材２０の内側に通されて内筒部材２０に密着したワイヤハーネス４）を、ワイヤハーネス４の長手方向に沿って外筒部材１０の底板部１２側（図３中、矢印Ｃで示す）に引っ張ると、突部２２の前述した一端部（即ち、突部２２の内筒部材２０を引っ張る方向Ｃ側の端部）が底板部１２の内縁部１６を押圧する。突部２２の一端部には前述したテーパ面２３が設けられているので、図４に示すように、底板部１２の内縁部１６がテーパ面２３に乗り上げて、底板部１２の内縁部１６は外側に拡がるように弾性変形する。そして、さらに内筒部材２０を引っ張ると、底板部１２の内縁部１６が突部２２を乗り越えて内筒部材２０が外筒部材１０から抜け出る。
【００３６】
こうして、突部２２のテーパ面２３は、内筒部材２０をワイヤハーネス４の長手方向に沿って矢印Ｃ方向に引っ張ると、外筒部材１０を弾性変形させて内筒部材２０が外筒部材１０内から抜け出るのを許容する。突部２２のテーパ面２３は、特許請求の範囲に記載した移動許容手段をなしている。
【００３７】
前述した構成のグロメット１をパネル２に取り付ける際には、まず、図１に示すように、内筒部材２０の小径筒部２１のテーパ面２３寄りの端部と、外筒部材１０の拡径筒部１１の一端部１１ａとを相対させ、小径筒部２１の前記端部を図１中の矢印Ａに沿って拡径筒部１１の一端部１１ａ内に挿入していく。
【００３８】
すると、拡径筒部１１の端部１４は、テーパ面２３に乗り上げて弾性変形した後、突部２２を乗り越える。その後、拡径筒部１１の端部１４は弾性復元して中立状態となり、底板部１２の内縁部１６と拡径筒部１１の端部との間に突部２２が位置付けられて突部２２と係合受け部３１とが係合し、内筒部材２０が外筒部材１０内に取り付けられてグロメット１が組み付けられる。そして、図２に示すように、この組み付けられたグロメット１内にワイヤハーネス４を通す。
【００３９】
このグロメット１を、拡径筒部１１の一端部１１ａ側から、図２中の矢印Ｂに沿ってパネル２の孔３内に徐々に通していく。すると、拡径筒部１１はパネル２の孔３の縁部によって内側に向かって押圧されて内外径が縮小する方向に弾性変形する。その後、パネル２の孔３の縁部が凹溝１９内に位置すると、拡径筒部１１が弾性復元して係止凹部１３がパネル２の孔３内に係止し、図３に示すようにグロメット１がパネル２に取り付けられる。
【００４０】
このグロメット１を、例えば車体解体時等にパネル２から取り外す際には、内筒部材２０（または、この内筒部材２０の内側に通されて内筒部材２０に密着したワイヤハーネス４）を、ワイヤハーネス４の長手方向に沿って外筒部材１０の底板部１２側（図３中、矢印Ｃで示す）に引っ張る。即ち、グロメット１を取り付ける際に外筒部材１０をパネル２の孔３内に通した矢印Ｂ方向と反対方向に引っ張る。
【００４１】
すると、図４に示すように、底板部１２の内縁部１６がテーパ面２３に乗り上げて、底板部１２の内縁部１６が外側に拡がるように弾性変形する。さらに内筒部材２０を引っ張ると、底板部１２の内縁部１６が突部２２を乗り越えて内筒部材２０が外筒部材１０から抜け出ることで、内筒部材２０がパネル２から取り外される。
【００４２】
このように、パネル２から内筒部材２０が取り外されることで、パネル２からワイヤハーネス４が取り外される。そして、パネル２からワイヤハーネス４が取り外されることで、パネル２を構成する鉄成分とワイヤハーネス４を構成する銅成分とを分離（分別）することができる。このとき、外筒部材１０は、パネル２の孔３内に取り付けられたままであるが、後に行われる他の解体作業工程において燃焼するので、パネル２の孔３内に取り付けられたままであっても問題にはならない。
【００４３】
本実施形態によれば、外筒部材１０とこの外筒部材１０内に取り付けられた内筒部材２０とが相対的に移動するのを規制する移動規制部３０と、内筒部材２０を引っ張ると外筒部材１０を弾性変形させて内筒部材２０が外筒部材１０内から抜け出るのを許容する移動規制部３０とを備えているので、内筒部材２０を引っ張ることで内筒部材２０が簡単に外筒部材１０内から抜け出る。したがって、内筒部材２０を外筒部材１０内から簡単に取り外すことができ、パネル２とワイヤハーネス４とを簡単に分離（分別）することができる。
【００４４】
移動規制部３０が、内筒部材２０から外筒部材１０に向かって突出した突部２２と、外筒部材１０に設けられ突部２２と係合する係合受け部３１とを備えているので、通常時には、突部２２と係合受け部３１とが係合して内筒部材２０を確実に外筒部材１０内に保持することができる。
【００４５】
突部２２が内筒部材２０の外面から突出して設けられるとともに、突部２２の内筒部材２０を引っ張る方向（矢印Ｃ方向）側の一端部には、引っ張る方向にいくにしたがって内筒部材２０の外面に近づくように傾斜したテーパ面２３が設けられているので、内筒部材２０を引っ張ることでテーパ面２３が外筒部材１０を弾性変形させて、内筒部材２０を外筒部材１０から簡単に（小さな力で）取り外すことができる。
【００４６】
内筒部材２０を引っ張る方向（矢印Ｃ方向）が外筒部材１０をパネル２の孔３内に通す方向（矢印Ｂ方向）と反対方向とされているので、外筒部材１０即ちグロメット１をパネル２に取り付けるときに内筒部材２０が外筒部材１０内から抜け出るのを確実に防止することができる。
【００４７】
本実施形態においては、突部２２が小径筒部２１の全周に亘って設けられていたが、突部２２は必ずしも全周に亘って設けられていなくてもよい。例えば、複数の突部が小径筒部２１の周方向に沿って並んで設けられていてもよい。
【００４８】
次に、本発明の第２の実施形態にかかるグロメット１Ａを、図６及び図７を参照して説明する。なお、前述した第２の実施形態と同一構成部分には、同一符号を付して説明を省略する。
【００４９】
本発明の第２の実施形態にかかるグロメット１Ａは、第１の実施形態のグロメット１と比較すると、移動規制部４０と移動許容手段としてのテーパ面３７とが異なる。移動規制部４０は、図６に示すように、外筒部材１０に設けられた突部３２と、内筒部材２０に設けられた係合受け部３３を備えている。
【００５０】
突部３２は、拡径筒部１１の前述した端部１４と、底板部１２の内縁部１６とされている。内筒部材２０が外筒部材１０内に配されると、拡径筒部１１の端部１４と底板部１２の内縁部１６とは内筒部材２０に向かって突出する。
【００５１】
係合受け部３３は、一対の凹部３４ａ、３４ｂを備えている。一対の凹部３４ａ、３４ｂは、小径筒部２１の長手方向中央に設けられ、小径筒部２１即ち内筒部材２０の外面から凹に設けられている。一対の凹部３４ａ、３４ｂは、それぞれ、内筒部材２０の全周に亘って設けられている。一対の凹部３４ａ、３４ｂは、軸心Ｐ方向に沿って互いに間隔をあけて設けられている。一対の凹部３４ａ、３４ｂの間隔は、拡径筒部１１の端部１４と、底板部１２の内縁部１６との間隔と略等しい。一対の凹部３４ａ、３４ｂのうちの一方の凹部３４ａ内には底板部１２の内縁部１６が収容され、他方の凹部３４ｂ内には拡径筒部１１の端部１４が収容される。
【００５２】
一対の凹部３４ａ、３４ｂは、それぞれ、一対の内側面３５ａ、３５ｂと、これら内側面３５ａ、３５ｂに連なる内底面３６とを備え、軸心Ｐに沿った断面形状が略コ字状に形成されている。一対の内側面３５ａ、３５ｂのうちの一方の内側面３５ａは、テーパ面３７とされ、他方の内側面３５ｂから離れるにしたがって内筒部材２０の外面に近づくように傾斜している。
【００５３】
前述した構成の移動規制部４０は、外筒部材１０内に内筒部材２０が配されると、拡径筒部１１の端部１４と底板部１２の内縁部１６とをそれぞれ対応する凹部３４ａ、３４ｂ内に位置付けて、突部３２と一対の凹部３４ａ、３４ｂとを係合させる。そして、中立状態（図６に示す、外筒部材１０が弾性変形していない状態）において、移動規制部４０は、外筒部材１０とこの外筒部材１０内に配された内筒部材２０とが軸心Ｐ方向に沿って相対的に移動するのを規制する。内筒部材２０の内側には軸心Ｐ方向に沿ってワイヤハーネス４が通されるので、移動規制部４０は、外筒部材１０とこの外筒部材１０内に配された内筒部材２０とがワイヤハーネス４の長手方向に沿って相対的に移動するのを規制する。
【００５４】
また、図６に示すようにパネル２の孔３に取り付けられたグロメット１Ａをパネル２から取り外す際には、内筒部材２０（または、この内筒部材２０の内側に通されて内筒部材２０に密着したワイヤハーネス４）を、ワイヤハーネス４の長手方向に沿って外筒部材１０の底板部１２側（図６中、矢印Ｃ１で示す）に引っ張る。
【００５５】
すると、まず、拡径筒部１１の端部１４と底板部１２の内縁部１６が、それぞれ、凹部３４ａ、３４ｂの前述した一方の内側面３５ａ（即ち、凹部３４ａ、３４ｂの内筒部材２０を引っ張る方向Ｃ１と反対側の内側面）を押圧する。一方の内側面３５ａには前述したテーパ面３７が設けられているので、拡径筒部１１の端部１４と底板部１２の内縁部１６とは弾性変形してテーパ面３７に乗り上げる。そして、さらに内筒部材２０を引っ張ると、拡径筒部１１の端部１４と底板部１２の内縁部１６とが凹部３４ａ、３４ｂ外へと位置付けられる。
【００５６】
さらに内筒部材２０を外筒部材１０の底板部１２側に引っ張っていくと、底板部１２の内縁部１６が一度他方の凹部３４ｂ内に収容された後（図７）、再び弾性変形してテーパ面３７に乗り上げて凹部３４ｂ外へと位置付けられる。そして、内筒部材２０が外筒部材１０から抜け出る。
【００５７】
こうして、一対の凹部３４ａ、３４ｂのテーパ面３７は、内筒部材２０をワイヤハーネス４の長手方向に沿って矢印Ｃ１方向に引っ張ると、外筒部材１０を弾性変形させて内筒部材２０が外筒部材１０内から抜け出るのを許容する。凹部３４ａ、３４ｂのテーパ面３７は、特許請求の範囲に記載した移動許容手段をなしている。
【００５８】
本実施形態によれば、前述した第１の実施形態の効果に加え、一対の凹部３４ａ、３４ｂが内筒部材２０の外面から凹に設けられるとともに、係合受け部３３の内筒部材２０を引っ張る方向Ｃ１と反対側の内面には、引っ張る方向Ｃ１と反対方向にいくにしたがって内筒部材２０の外面に近づくように傾斜したテーパ面３７が設けられているので、内筒部材２０を引っ張ることでテーパ面３７が外筒部材１０を弾性変形させて、内筒部材２０を外筒部材１０内から簡単に（小さな力で）取り外すことができる。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６０】
【図１】本発明の第１の実施形態にかかるグロメットの外筒部材と内筒部材とを示す側面図である。
【図２】図１に示されたグロメットがパネルに取り付けられる前の状態を示す断面図である。
【図３】図２に示されたグロメットがパネルに取り付けられた状態を示す断面図である。
【図４】図３に示されたグロメットの内筒部材が取り外されつつある状態を示す断面図である。
【図５】図４に示されたグロメットの内筒部材がほとんど取り外された状態を示す断面図である。
【図６】本発明の第２の実施形態にかかるグロメットを示す断面図である。
【図７】図６に示されたグロメットの内筒部材が取り外されつつある状態を示す断面図である。
【符号の説明】
【００６１】
１    グロメット
２    パネル
３    孔
４    ワイヤハーネス
１０    外筒部材
１１    拡径筒部
２０    内筒部材
２２    突部
２３、３７    テーパ面（移動許容手段）
３０、４０    移動規制部（移動規制手段）
３１、３３    係合受け部
Ｂ    外筒部材をパネルの孔内に通す方向
Ｃ、Ｃ１    内筒部材を引っ張る方向
【図１】
2009201178.tif 000003
【図２】
2009201178.tif 000004
【図３】
2009201178.tif 000005
【図４】
2009201178.tif 000006
【図５】
2009201178.tif 000007
【図６】
2009201178.tif 000008
【図７】
2009201178.tif 000009